(57)【要約】【課題】ダクト内にファンなど維持・管理・清掃等の必要な装置を設置せずに換気機能を持たせた換気装置を提供することを課題とする。【解決手段】ダクト内に、圧縮空気を吹き込むノズルだけを排出側に向かって取り付け二次空気・三次空気を発生させて換気をすることを特徴として解決した。【選択図】図１
2010261694.tif 000002
【特許請求の範囲】
【請求項１】
換気装置において、換気ダクトの換気方向に向けて噴射ノズルをもうける。
適度な場所に設置した空気圧縮機（コンプレッサー）で発生させた一次空気（圧縮空気）を耐圧ホースや金属管等で噴射ノズルまで導き換気ダクトに噴射する。噴射ノズルから発射された一次空気（圧縮空気）により、ダクト内の二次空気が強制的に移動し換気がなされる請求項１の換気装置。
【請求項２】
適度な場所に設置した空気圧縮機（コンプレッサー）で発生させた一次空気（圧縮空気）を耐圧ホースや金属管等で噴射ノズルまで導き従来からある換気ダクトに向かって設置されている、適当な長さで、従来からある換気ダクトより径の小さい換気ダクトに噴射する。
適当な長さで、従来からある換気ダクトより径の小さい換気ダクトには、かなり強い二次空気が発生する。
二次空気を従来の一般的な換気ダクトに噴射し、それにより二次空気排出部周辺に三次空気が発生し、二次・三次空気により換気が出来る請求項２の換気装置。
【請求項３】
請求項２の、二次空気の吸引部分をフレキシブルにしたり、前後左右に移動させたりすることで、ピンスポット的な換気が実現した請求項３の換気装置。
【発明の詳細な説明】
【技術分野】
【０００１】  この発明は、噴射装置を有する換気装置である。
【背景技術】
【０００２】  住宅等の換気装置はそれぞれの場所に取り付けられているが、浴室、縁の下などは湿気に、レンジフードは、熱・湿気・油脂などにさらされ過酷な使い方を強いられていた。
特に、レンジフードは商売が成り立つほど手入れが大変であり、浴室は数年で湿気によりファンモーターが壊れる有様であった。
【発明の概要】
【発明が解決しようとする課題】
【０００３】過酷な使い方をされる場所から、ファン・ファンモーター等を取り除くことによりその問題を解決しようとした。
【課題を解決するための手段】
【０００４】  換気ダクトの中へ、内部側から外部側に向かって圧縮空気を噴射用ノズルで噴きつける。
ダクトの中の空気は、圧縮空気の噴射によって外部側へ押し出される。
そのため内部側に不圧が生じ、内部側の空気をダクトに吸い込み換気が成立し解決した。
【発明の効果】
【０００５】  レンジフードでは、ファンが無くなり掃除の手間が省ける。【０００６】  簡素化されることで新しいデザインのレンジフードが期待できる。【０００７】  家屋の中の何箇所かの換気装置を、高圧ホースでネットワークして一台の空気圧縮装置（コンプレッサー）に集約できる。【０００８】  空気圧縮装置（コンプレッサー）は真空（バキューム）装置とも構造が酷似しておりかってあった家屋一体型掃除機を兼ねることが出来復活が期待される。【０００９】  送風装置は噴射用ノズルだけの簡単な構造のためダクト内の様々な悪条件に左右されない。
つまり、防爆、耐圧、耐高圧、耐湿、耐薬品、耐腐食、単独・それらの複合型にダクトと噴射ノズルが耐える材質であれば、製作できる。
【図面の簡単な説明】
【００１１】
【図１】  本発明の請求項１の正面断面図である。
【図２】  本発明の請求項１のノズル付近拡大図である。
【図３】  本発明の請求項２の正面断面図である。
【図４】  本発明の請求項２の４０φｍｍダクト付近の正面断面図である。
【符号の説明】１‥‥ダクト、２‥‥噴射用ノズル、３‥‥圧縮機、４‥‥内部側、
５‥‥レンジフード、６‥‥ダクト吸引側、７‥‥排出側、
８‥‥空気圧縮機（コンプレッサー）、９‥‥一次空気、１０‥‥二次空気
１１‥‥ダクト外、１２‥‥４０φｍｍダクト、１３‥‥かなり強い二次空気
１４‥‥三次空気、１５‥‥二次空気の吸引部分
【発明を実施するための形態】
【００１２】以下、本発明を実施するための一形態について述べる。
図１においてレンジフード（１）、ダクト（２）等は現行の物を使用する。
特にダクトは、現行の１００φｍｍとする。
ダクト吸引側（６）から排出側（７）に向けて噴射用ノズル（２）をもうける。
適度な場所に設置した空気圧縮機（コンプレッサー）（８）で発生させた一次空気（圧縮空気）（９）を高圧ホースや銅管・亜鉛めっき等で噴射ノズルまで導き噴射する。
噴射ノズル（２）から発射された一次空気（圧縮空気）（９）により、噴射ノズルの前に強力な二次空気（１０）がダクトに向かって発生する。
二次空気（１０）ダクトに向かって強力に噴射されることでレンジフード（１６）周りの三次空気（１４）が吸引されて外へ吐き出され換気がなされる。
いうまでも無く、噴射ノズルはダクト内に一器あれば事足れる。  但し、ダクトが、極端に長くなればその限りではない。
【００１３】  図２のように、４０φｍｍのダクト（適当な長さ・細めの排気ダクト）（１２）を中間に設けることでかなり強い二次空気（１３）が発生する。  それにより従来からのダクト周辺に三次空気（１４）が発生する。
二次空気の吸引部分（１５）をフレキシブルにすることで、ピンスポット的な換気が実現する。
【簡易的に実験した結果と効果】
【００１４】ダクトの代用として長さ１ｍ直径６０φｍｍの縦樋を使用し、ダイアフラム型圧縮機で小型のものを使用した。
負圧計等の持ち合わせが無いので、代用として４５Ｌのゴミ袋（ビニール袋）を、外部に見立てた一方に取り付けた。
ゴミ袋内の空気を抜き取った後、二次空気を取り入れない方法で、圧縮機からの一次空気のみをゴミ袋に噴射したところ約７０秒で袋一杯になった。
噴射ノズルの周りを開放し、二次空気を取り入れる方法で、噴射した場合４秒から５秒台で一杯になった。
また、噴射ノズルを縦樋の手前１０ｃｍ・５ｃｍ・０ｃｍ・縦樋の中へ５ｃｍ・１０ｃｍと距離を変えて計測したが、計測誤差以上の時間差は感じられなかった。
この結果、噴射ノズルから噴射される一次空気の１４〜１７倍の二次空気が発生し送られることが簡易的実験で確かめられた。
一次空気の圧縮圧は変えておらず、噴射圧が高くなれば当然二次空気は多くなるがその比は何倍になるかは解らない。
【産業上の利用可能性】
【００１５】この装置を大規模にし、トンネル内にこの換気装置（ノズル）をつけると火災などで数百度の高温にさらされても圧縮装置は別のところに設置してあるので影響を受けず、換気が必要なら換気が出来る。【００１６】圧縮空気の代用として二酸化炭素ボンベ等から供給すれば、火事など緊急時にはインフラと切り離した緊急換気装置として数分から数十分位の時間作動させることが可能である。【００１７】一次空気を加圧水に代えると、スプリンクラーも兼ねた換気装置となる。【００１８】焼肉店等、油を使う店舗では加圧水に代えることでダクトから排出される一時的に水と油が混ざった混合液ができ、それを貯めることで時間がたてば分離が起こり油の回収が出来、さらに環境にも配慮できる。【００１９】ほこり・塵・大鋸屑などの多い室内を換気する場合、加圧水に変えることでそれらを吸収しきれいな空気を排出できる。【００２０】加圧水を使ってこの装置を水門等に使用した場合、電気的なセンサーで川と、住宅側の水位差を感知し自動的に住宅地への逆流を食い止め、さらに川への排水が可能となる。
河口近くの防潮壁にこの装置を設置すれば、満潮時の洪水に対処できうる。
川上からのごみにも、対処が楽である。
【図１】
2010261694.tif 000003
【図２】
2010261694.tif 000004
【図３】
2010261694.tif 000005
【図４】
2010261694.tif 000006